(57)【要約】【課題】ドラムのつば板の下部をそれぞれ個別に支持する構成にすることで、装置自体をコンパクトにすることができると共に、狭い場所でもドラムの各つば板に装着しやすく、ドラムを容易に上昇させて運搬し、下降させて設置させる。【解決手段】ドラムＤのつば板Ｂの下部を支持する第１支持面６と、キャスター７を有する第１支持部材２と、ドラムＤのつば板Ｂの下部を支持する第２支持面８と、キャスター７を有する第２支持部材３と、第１支持部材２と第２支持部材３との間隔を離間又は近接させ得るように、第１支持部材２と第２支持部材３とに連結する伸縮連結部材４と、伸縮連結部材４を伸縮させる駆動機構５と、を備え、ドラムＤのつば板Ｂの下部を水平方向から挟むように、第１支持部材２と第２支持部材３を置き、第１支持部材２と第２支持部材３の間隔を伸縮連結部材４により近接させ、つば板Ｂと共にドラムＤ自体を上昇させるように構成した。【選択図】図１
2019108084.tif 000002
【特許請求の範囲】
【請求項１】
ドラム（Ｄ）を運搬、保管する際に、該ドラム（Ｄ）を昇降するためのドラム昇降器（１）であって、
ドラム（Ｄ）のつば板（Ｂ）の下部を支持する第１支持面（６）と、キャスター（７）を有する第１支持部材（２）と、
ドラム（Ｄ）のつば板（Ｂ）の下部を支持する第２支持面（８）と、キャスター（７）を有する第２支持部材（３）と、
前記第１支持部材（２）と第２支持部材（３）との間隔を離間又は近接させ得るように、該第１支持部材（２）と第２支持部材（３）とにそれぞれ連結される伸縮連結部材（４）と、
前記伸縮連結部材（４）を伸縮させる駆動機構（５）と、を備え、
ドラム（Ｄ）のつば板（Ｂ）の下部を水平方向から挟むように、前記第１支持部材（２）と第２支持部材（３）を置き、該第１支持部材（２）と第２支持部材（３）の間隔を前記伸縮連結部材（４）により近接させ、つば板（Ｂ）と共にドラム（Ｄ）を上昇させるように構成した、ことを特徴とするドラム昇降器。
【請求項２】
前記第１支持部材（２）と第２支持部材（３）は、ドラム（Ｄ）のつば板（Ｂ）を円滑に上昇させやすいように、前記第１支持面（６）と第２支持面（８）の横断面形状がそれぞれ半円筒形状になる、ことを特徴とする請求項１のドラム昇降器。
【請求項３】
前記第１支持部材（２）と第２支持部材（３）は、ドラム（Ｄ）を構成するつば板（Ｂ）が滑らないように、前記第１支持面（６）と第２支持面（８）に滑り止め加工を施した、ことを特徴とする請求項１のドラム昇降器。
【請求項４】
前記駆動機構（５）は、足踏みレバー（９）の駆動で前記伸縮連結部材（４）を構成する第１連結部材（４ａ）と第２連結部材（４ｂ）とを離間又は近接させ得るギヤ構成のものである、ことを特徴とする請求項１、２又は３のドラム昇降器。
【請求項５】
前記第１支持部材（２）と第２支持部材（３）は、ドラム（Ｄ）のつば板（Ｂ）の種々の板厚に対応できるように、前記第１支持面（６）と第２支持面（８）の間隔を調節し得る構成にした、ことを特徴とする請求項１、２、３又は４のドラム昇降器。
【請求項６】
前記第１支持部材（２）と第２支持部材（３）は、前記第１支持面（６）と第２支持面（８）の長手方向に弾性部材（２２）で常時押圧されるつば板押圧具（２１）を設けた、ことを特徴とする請求項５のドラム昇降器。
【請求項７】
前記第１支持面（６）と第２支持面（８）が形成された側の各キャスター（７）の車輪の径（７ａ）は、その反対側の各キャスター（７）の車輪の径（７ｂ）より小さいものを配置した、ことを特徴とする請求項１のドラム昇降器。
【発明の詳細な説明】
【技術分野】
【０００１】
本発明は、電力ケーブルや通信ケーブルのようなケーブルドラム、線材ドラム、用紙ドラム等のドラムを移動、設置する際に用いるドラム昇降器に関する。
【背景技術】
【０００２】
電力ケーブルや通信ケーブルのようなケーブルドラム、線材ドラム又は用紙ドラム等のドラムは、木製の円筒の芯にケーブル、線材、用紙を巻き付け、この円筒の芯の両端に円板状のつば板を具備するものである。このドラムのつば板は、例えば直径が１０００ｍｍ程度、円筒芯の幅が５００ｍｍ〜８００ｍｍ程度あり、作業者が容易に移動させることができない大きさであった。
【０００３】
また、このような重量のあるドラム、特にケーブルドラムを取扱いに際して安全性と、ドラム特有の事情がある。ケーブルドラムによる事故を防止するために、作業現場ではドラムを転がすことは極力避けている。ドラムを移動させる際には、フォークリフトなどの運搬車、ワイヤ、クレーンなどを使用している。やむを得ず転がす場合は、必ずドラム外側に記入してある回転方法（矢印の方向）へ転がしている。これは逆方向へ転がすとケーブルの巻きがゆるむことがあるからである。
【０００４】
このようなドラムを支持して運搬する運搬装置に関する技術が提案されている。例えば、特許文献１の特開２００８−１４３２４１号公報「ケーブルドラム運搬装置」のように、ケーブルドラムを運搬するための運搬装置であって、前記ケーブルドラムを転動可能に収容する間隔をあけて互いに平行に配置された一対の収容部材と、該収容部材の各々の一端側に垂直に設けられた一対のリフト部材と、該一対のリフト部材の間に上下動可能に設けられた昇降部材とを具備するフレームと、前記収容部材の他端側及び前記昇降部材の下面に設けられた車輪と、前記一対の収容部材の間に着脱自在に設けられ、転動方向において前記ケーブルドラムの両側に当接して該ケーブルドラムを保持する一対の保持部材と、前記昇降部材を前記リフト部材に対して昇降させる駆動手段とを備えるケーブルドラム運搬装置が提案されている。
【先行技術文献】
【特許文献】
【０００５】
【特許文献１】特開２００８−１４３２４１号公報
【発明の概要】
【発明が解決しようとする課題】
【０００６】
しかし、特許文献１の「ケーブルドラム運搬装置」は、ケーブルドラムの下部を受け止めるように取り付ける構成である。そこで、この運搬装置は、ケーブルドラムの横幅の広さが必要であり、この運搬装置自体が大きかった。そのため、運搬装置を使用していない時に広い保管場所が必要になるという問題を有していた。
【０００７】
特許文献１の「ケーブルドラム運搬装置」は、その構造上の特性からケーブルドラムに装着する際には、ケーブルドラムの転がり方向（すなわちつば板の面方向）から装着する必要があった。ケーブルドラムの保管場所によっては、ケーブルドラムの転がり方向に空間がない場合がある。このようなときは、ケーブルドラムの向きを変えてから運搬装置を装着するため、煩雑な作業になりやすいという問題を有していた。
【０００８】
本発明は、かかる問題点を解決するために創案されたものである。すなわち、本発明の目的は、ドラムのつば板の下部をそれぞれ個別に支持する構成にすることで、装置自体をコンパクトにすることができると共に、狭い場所でもドラムのつば板に装着しやすく、ドラムを容易に上昇させて運搬し、下降させて設置させることができるドラム昇降器を提供することにある。
【課題を解決するための手段】
【０００９】
本発明は、ドラム（Ｄ）を運搬、保管する際に、該ドラム（Ｄ）を昇降するためのドラム昇降器（１）であって、
ドラム（Ｄ）のつば板（Ｂ）の下部を支持する第１支持面（６）と、キャスター（７）を有する第１支持部材（２）と、
ドラム（Ｄ）のつば板（Ｂ）の下部を支持する第２支持面（８）と、キャスター（７）を有する第２支持部材（３）と、
前記第１支持部材（２）と第２支持部材（３）との間隔を離間又は近接させ得るように、該第１支持部材（２）と第２支持部材（３）とにそれぞれ連結される伸縮連結部材（４）と、
前記伸縮連結部材（４）を伸縮させる駆動機構（５）と、を備え、
ドラム（Ｄ）のつば板（Ｂ）の下部を水平方向から挟むように、前記第１支持部材（２）と第２支持部材（３）を置き、該第１支持部材（２）と第２支持部材（３）の間隔を前記伸縮連結部材（４）により近接させ、つば板（Ｂ）と共にドラム（Ｄ）を上昇させるように構成した、ことを特徴とする。
【００１０】
前記第１支持部材（２）と第２支持部材（３）は、ドラム（Ｄ）のつば板（Ｂ）を円滑に上昇させやすいように、前記第１支持面（６）と第２支持面（８）の横断面形状がそれぞれ半円筒形状にすることができる。
前記第１支持部材（２）と第２支持部材（３）は、ドラム（Ｄ）を構成するつば板（Ｂ）が滑らないように、前記第１支持面（６）と第２支持面（８）に滑り止め加工を施すことができる。
前記駆動機構（５）は、足踏みレバー（９）の駆動で前記伸縮連結部材（４）を構成する第１連結部材（４ａ）と第２連結部材（４ｂ）とを離間又は近接させ得るギヤ構成のものである。
【００１１】
前記第１支持部材（２）と第２支持部材（３）は、ドラム（Ｄ）のつば板（Ｂ）の種々の板厚に対応できるように、前記第１支持面（６）と第２支持面（８）の間隔を調節し得る構成にすることができる。
前記第１支持部材（２）と第２支持部材（３）は、前記第１支持面（６）と第２支持面（８）の長手方向に弾性部材（２２）で常時押圧されるつば板押圧具（２１）を設けることができる。
前記第１支持面（６）と第２支持面（８）が形成された側の各キャスター（７）の車輪の径（７ａ）は、その反対側の各キャスター（７）の車輪の径（７ｂ）より小さいものを配置することができる。
【発明の効果】
【００１２】
上記構成の本発明では、使用に際して、ドラム（Ｄ）のつば板（Ｂ）の下部を水平方向から挟むように、第１支持部材（２）と第２支持部材（３）を置く。このときは、第１支持部材（２）と第２支持部材（３）との間隔を広げておくので、つば板（Ｂ）の側方から差し込むことができる。この状態で駆動機構（５）により、伸縮連結部材（４）を縮ませると、第１支持部材（２）と第２支持部材（３）との間隔が狭まり、同時に第１支持面（６）と第２支持面（８）との間隔も狭まる。これらの第１支持面（６）と第２支持面（８）に挟まれているつば板（Ｂ）は、そのまま上昇する。同様な方法で他方のつば板（Ｂ）も上昇させ、ドラム（Ｄ）を持ち上げることができる。この状態でドラム（Ｄ）を容易に移動させることができる。ドラム（Ｄ）の保管場所に来たら、第１支持面（６）と第２支持面（８）との間隔を広げると、ドラム（Ｄ）を下降させ、つば板（Ｂ）からドラム昇降器（１）を外すことができ移動作業などが完了する。
【００１３】
本発明は、ドラム（Ｄ）の２枚のつば板（Ｂ）にそれぞれドラム昇降器（１）を装着して使用する。そこで、つば板（Ｂ）の直径はある程度制限はあるが、ドラム（Ｄ）の幅方向には制限がないので、幅が極端に長いドラム（Ｄ）のような様々な形態のドラム（Ｄ）に使用することができる。
【００１４】
本発明のドラム昇降器（１）は、ドラム（Ｄ）のつば板（Ｂ）の下部のみに装着する構成であるために非常にコンパクトである。このドラム昇降器（１）自体は軽量で運搬しやすい。また、その保管に広い場所をとらない。
【００１５】
第１支持面（６）と第２支持面（８）の横断面形状がそれぞれ半円筒形状のものは、第１支持面（６）と第２支持面（８）を挟めて、ドラム（Ｄ）のつば板（Ｂ）を上昇させる際に、つば板（Ｂ）を円滑に上昇させることができる。
逆に、第１支持面（６）と第２支持面（８）に滑り止め加工を施したものは、第１支持部材（２）と第２支持部材（３）につば板（Ｂ）を載せた状態では、つば板（Ｂ）が滑らないのでドラム（Ｄ）の移動の際に、ドラム昇降器（１）からドラム（Ｄ）が不用意に外れづらくなる。
第１支持面（６）と第２支持面（８）の間隔を調節し得る構成になる第１支持部材（２）と第２支持部材（３）は、ドラム（Ｄ）のつば板（Ｂ）の種々の板厚に対応できる。
【００１６】
足踏みレバー（９）の駆動で伸縮連結部材（４）を構成する第１連結部材（４ａ）と第２連結部材（４ｂ）とを離間又は近接させ得るギヤ構成の駆動機構（５）は、コンパクトな構造であるため、このドラム昇降器（１）の運搬が容易になる。
第１支持面（６）と第２支持面（８）が形成された側のキャスター（７）の車輪の径（７ａ）が、その反対側のキャスター（７）の車輪の径（７ｂ）より小さいので、ドラム昇降器（１）をつば板（Ｂ）の側方から差し込みしやすい。
【図面の簡単な説明】
【００１７】
【図１】本発明のドラム昇降器を示す斜視図である。
【図２】本発明のドラム昇降器を示す正面図である。
【図３】本発明のドラム昇降器を示す平面図である。
【図４】本発明のドラム昇降器を示す側面図である。
【図５】本発明のドラム昇降器をドラムのつば板に装着して使用する状態を示す正面図であり、（ａ）はつば板に装着する前の状態、（ｂ）はつば板に装着した状態、（ｃ）はドラムを上昇させた状態である。
【図６】ドラム昇降器をドラムに装着した状態を示す平面図である。
【図７】ドラム昇降器をドラムに装着した状態を示す正面図である。
【図８】ドラム昇降器をドラムに装着した状態を示す側面図である。
【図９】第１支持部材と第２支持部材の変形例を示す拡大側面図である。
【発明を実施するための形態】
【００１８】
本発明のドラム昇降器は、ドラムを運搬、保管する際に、ドラムを昇降するための装置であり、ドラムのつば板の下部を水平方向から挟むように、第１支持部材と第２支持部材を置き、第１支持部材と第２支持部材の間隔を伸縮連結部材により狭め、つば板と共にドラム自体を上昇させるように構成した装置である。
【実施例１】
【００１９】
＜ドラム昇降器の構成＞
以下、本発明の実施の形態について図面を参照して説明する。
図１は本発明のドラム昇降器を示す斜視図である。図２は本発明のドラム昇降器を示す正面図である。図３は本発明のドラム昇降器を示す平面図である。図４は本発明のドラム昇降器を示す側面図である。
実施例１のドラム昇降器１は、第１支持部材２と第２支持部材３、これらの第１支持部材２と第２支持部材３との間隔を離間又は近接させる伸縮連結部材４と、この伸縮連結部材４を動作させる駆動機構５とを備えた装置である。この第１支持部材２と第２支持部材３との間隔を狭めることによりドラムＤを昇降させることができる。
【００２０】
第１支持部材２は、ドラムＤのつば板Ｂの下部を支持する第１支持面６と、キャスター７とを有する部材である。第２支持部材３は、同様にドラムＤのつば板Ｂの下部を支持する第２支持面８と、キャスター７とを有する部材である。ここで第１、第２と称したのは、順番、等級を意味するのではなく、略同一形状の構造について区分けするために称したものである。
【００２１】
第１支持部材２は、金属製の細長い板材を、その両端を曲折し、その両端にキャスター７を取り付け、両方のキャスター７の間に第１支持面６を取り付けたものである。この第１支持面６に、これに隣接して伸縮連結部材４を構成する第１連結部材４ａを固定したものである。この第１連結部材４ａは、その長手方向に対して第１支持部材２の長手方向に直交するように固定したものである。
【００２２】
第２支持部材３は、同様に金属製の細長い板材を、その両端を曲折し、その両端にキャスター７を取り付け、両方のキャスター７の間に第２支持面８を取り付けたものである。この第２支持面８に隣接して伸縮連結部材４を構成する第２連結部材４ｂを固定したものである。この第２連結部材４ｂも、その長手方向に対して第２支持部材３の長手方向に直交するように固定したものである。
【００２３】
キャスター７の車輪の外径は、図３と図４に示すように、ドラムＤのつば板Ｂの下部を支持する第１支持面６と第２支持面８が形成された側の車輪７ａと、その反対側の車輪７ｂとでは異なる。図示例では第１支持面６と第２支持面８が形成された側の車輪７ａが、その反対側の車輪７ｂより小さいものを配置している。勿論、本発明のドラム昇降器１をつば板Ｂの側方から差し込みやすくするためである。キャスター７の車輪の外径は４個全部同じ大きさにすることも可能である。また、キャスター７（車輪）の個数も４個に限定されず、６個、８個と自由に変更することが可能である。
【００２４】
この第１支持面６と第２支持面８は、図１に示すように、横断面形状がそれぞれ半円筒形状になっている。第１支持面６又は第２支持面８は、このよ４うに半円筒形状になっているので、ドラムＤのつば板Ｂを載せやすくなる。更に、第１支持部材２と第２支持部材３との間隔を狭める際に、つば板Ｂの下部において移動させやすくなり、結果としてドラムＤを円滑に上昇させることができる。なお、支持するつば板Ｂの下部が接する部材であればよいので、半円筒形状に限定されず、傾斜面を形成したものでもよい。
【００２５】
逆に、ドラムＤを構成するつば板Ｂが滑らないように、第１支持面６と第２支持面８に滑り止め加工を施すことも可能である。この滑り止め加工としては、ゴムシートを貼付したものがある。または、第１支持面６と第２支持面８に凹凸面を形成したものでもよい。
【００２６】
第１支持部材２に第１連結部材４ａが、第２支持部材３に第２連結部材４ｂがそれぞれ固定されることで、１台のドラム昇降器１を形成する。第１連結部材４ａと第２連結部材４ｂとから成る伸縮連結部材４は、図１、図４に示すように、横断面は円形ではなく図示例のように四角形状が好ましい。伸縮連結部材４の軸周りの回転を防止するためである。
【００２７】
＜駆動機構の構成＞
伸縮連結部材４内に取り付けられた駆動機構５は、第１連結部材４ａと第２連結部材４ｂを離間又は近接させて第１支持部材２と第２支持部材３との間隔を可変するものである。この駆動機構５は、足踏みレバー９のペダル１０を踏んで往復動作させ、ギヤを用いて回転動作に変換する構成のものである。この回転動作で第１連結部材４ａと第２連結部材４ｂの間隔を変化させるものである。例えば、ラッチとピニオン、ウォームギヤ・ウォームホイールなどを用いることができる。第１連結部材４ａと第２連結部材４ｂに軸方向に荷重が掛っても不用意に可動しない構成であれば、種々のギヤ機構を用いることができる。
【００２８】
また、この駆動機構５には、図示しないが停止装置と解除装置を取り付けることが好ましい。停止装置は、第１支持部材２と第２支持部材３を近づけているときに、ドラムＤの重量で第１支持部材２と第２支持部材３とが広がることを防止する機能を有する。また、伸縮連結部材４に停止装置を取り付けることが好ましい。解除装置は近づけていた第１支持部材２と第２支持部材３を離して、ドラムＤを下すときに使用する。
【００２９】
＜使用状態の説明＞
図５は本発明のドラム昇降器をドラムのつば板に装着して使用する状態を示す正面図であり、（ａ）はつば板に装着する前の状態、（ｂ）はつば板に装着した状態、（ｃ）はドラムを上昇させた状態である。
本発明のドラム昇降器１は、これを２台１組で１個のドラムＤを昇降させる。ドラムＤの２枚のつば板Ｂにそれぞれドラム昇降器１を装着して使用する。
先ず、図５（ａ）に示すように、ドラムＤのつば板Ｂの下部を水平方向から挟むように、第１支持部材２と第２支持部材３を置く。このときは、第１支持部材２と第２支持部材３との間隔を広げておくので、つば板Ｂの側方から差し込むことができる。
【００３０】
次に、図５（ｂ）に示すように、駆動機構５により、伸縮連結部材４を縮ませると、第１支持部材２と第２支持部材３との間隔が狭まり、同時に第１支持面６と第２支持面８との間隔も狭まる。このとき、第１支持面６と第２支持面８にドラムＤの荷重が掛かるが、第１支持部材２と第２支持部材３にはキャスター７が具備されているので、この第１支持部材２と第２支持部材３との間隔を容易に狭めることができる。
【００３１】
更に、図５（ｃ）に示すように、第１支持部材２と第２支持部材３との間隔を狭め、同時に第１支持面６と第２支持面８との間隔も狭めていく。これらの第１支持面６と第２支持面８に挟まれているつば板Ｂを、そのまま上昇させることができる。
【００３２】
同様な方法で他方のつば板Ｂも上昇させ、ドラムＤ全体を持ち上げる。第１支持部材２と第２支持部材３にはキャスター７が具備されているので、ドラムＤを容易に所望の方向へ移動させることができる。
ドラムＤの保管場所に来たら、第１支持面６と第２支持面８との間隔を広げ、ドラムＤを下降させ、つば板Ｂからドラム昇降器１を外し、作業が完了する。
【００３３】
＜使用状態の説明＞
図６はドラム昇降器をドラムに装着した状態を示す平面図である。図７はドラム昇降器をドラムに装着した状態を示す正面図である。図８はドラム昇降器をドラムに装着した状態を示す側面図である。
図６から図７に示すように、ドラム昇降器１をドラムＤのつば板Ｂに装着して使用する。図示するように、本発明のドラム昇降器１は、ドラムＤの大きさに比較して非常にコンパクトな大きさである。本発明のドラム昇降器１はつば板Ｂの下部の一部を支持するだけで昇降させることができる。
【００３４】
＜支持部材の変形例１の構成＞
図９は第１支持部材と第２支持部材の変形例を示す拡大側面図である。
第１支持部材２と第２支持部材３の変形例は、第１支持面６と第２支持面８の間隔を自動で調整し得る構成のものである。ドラムＤのつば板Ｂの板厚は一定ではない。図示するように、薄い場合（ｔ１）と厚い場合（ｔ２）がある。そこで、この変形例は、各支持面６，８の長手方向に進退するつば板押圧具２１を備えたものである。このつば板押圧具２１は、各支持面６，８に載せたつば板Ｂを、伸縮連結部材４側に押し付ける機能を有し、ドラム昇降器１がつば板Ｂから外れないようにするためのものである。
【００３５】
つば板固定具２１は、各支持面６，８の長手方向にコイルばね等の弾性部材２２で常時押圧される略箱形状の部材である。このつば板押圧具２１の伸縮連結部材４側は、傾斜面２３が形成されている。このつば板押圧具２１の傾斜面２３につば板Ｂが当たり、ドラムＤの重量でつば板押圧具２１を押し返し、容易につば板Ｂは各支持面６，８に落とし込まれる。ドラム昇降器１はつば板Ｂに平行に装着されることになる。そこで、ドラム昇降器１がつば板Ｂから外れづらくなる。
【００３６】
なお、本発明は、ドラムＤのつば板Ｂの下部をそれぞれ個別に支持する構成にすることで、ドラム昇降器１自体をコンパクトにすることができると共に、狭い場所でもドラムＤの各つば板Ｂに装着しやすく、ドラムＤを容易に上昇させて運搬し、下降させて設置させることができれば、上述した発明の実施の形態に限定されず、本発明の要旨を逸脱しない範囲で種々変更できることは勿論である。
【産業上の利用可能性】
【００３７】
本発明のドラム昇降器は、電力ケーブルや通信ケーブルのようなケーブルドラム、線材ドラム、用紙ドラム等のドラムを移動、設置する際に利用することができる。
【符号の説明】
【００３８】
１  ドラム昇降器
２  第１支持部材
３  第２支持部材
４  伸縮連結部材
４ａ  第１連結部材
４ｂ  第２連結部材
５  駆動機構
６  第１支持面
７  キャスター
７ａ  キャスターの車輪の径
７ｂ  キャスターの車輪の径
８  第２支持面
２１  つば板押圧具
２２  弾性部材
Ｄ  ドラム
Ｂ  つば板
【図１】
2019108084.tif 000003
【図２】
2019108084.tif 000004
【図３】
2019108084.tif 000005
【図４】
2019108084.tif 000006
【図５】
2019108084.tif 000007
【図６】
2019108084.tif 000008
【図７】
2019108084.tif 000009
【図８】
2019108084.tif 000010
【図９】
2019108084.tif 000011